(57)【要約】【課題】撮影光路内にミラーを配置したデジタルカメラにおいて、ミラーが損傷し難いデジタルカメラを提供する。【解決手段】撮影レンズを通過した被写体光束を撮像して被写体像信号出力するＣＣＤ２２１と、このＣＣＤ２２１の光路内にあって、制御信号に応じて被写体光束を反射若しくは透過する状態に変化する液晶ミラー４０１と、この液晶ミラー４０１が反射状態にあるときに反射された被写体光束を受光して撮影レンズの焦点状態を検出する測距／測光センサ２１７と、液晶ミラー４０１が透過状態にあるときにＣＣＤ２２１から出力される被写体像信号に基づいて被写体の動画像をスルー画表示する背面液晶モニタ２６を具備し、液晶ミラー４０１が反射状態にあるときはスルー画表示にあたって動画像に代えて静止画像を表示する。【選択図】  図３
2008022303.tif 000002
【特許請求の範囲】
【請求項１】
撮影レンズを通過した被写体光束を撮像して被写体像信号出力する撮像手段と、
この撮像手段の光路内にあって、制御信号に応じて被写体光束を反射若しくは透過する状態に変化するミラー手段と、
このミラー手段が反射状態にあるときに反射された被写体光束を受光して撮影レンズの焦点状態を検出する測距手段と、
上記ミラー手段が透過状態にあるときに上記撮像手段から出力される被写体像信号に基づいて被写体の動画像を表示装置に表示するスルー画表示手段と、
を具備し、上記スルー画表示手段は上記ミラー手段が反射状態にあるときは上記動画像に代えて静止画像を表示することを特徴とするデジタルカメラ。
【請求項２】
上記静止画像は、上記ミラー手段が反射状態になる以前の被写体像信号に基づくものであることを特徴とする請求項１に記載のデジタルカメラ。
【請求項３】
上記ミラー手段は、上記測距手段による測距動作の終了後、透過状態になることを特徴とする請求項１に記載のデジタルカメラ。
【請求項４】
上記ミラー手段が反射状態になり、再び透過状態になるまでの時間は、上記撮像手段の１撮像周期よりも短いことを特徴とする請求項１に記載のデジタルカメラ。
【請求項５】
上記測距手段は、被写体が低輝度の場合に上記測距動作を複数に分割して実行することを特徴とする請求項１に記載のデジタルカメラ。
【請求項６】
上記ミラー手段は上記撮像光路に対して進退可能であって、記録用画像の取得時に上記撮像光路の外へ退避することを特徴とする請求項１乃至請求項５に記載のデジタルカメラ。
【請求項７】
撮影レンズを通過した被写体光束を撮像して被写体像信号を出力する撮像手段と、
この撮像手段の光路内に配置され、反射状態と透過状態とに変化可能なミラー手段と、
このミラー手段が反射状態にあるときに反射された被写体光束を受光して上記撮影レンズの焦点状態を検出する測距手段と、
を具備しており、上記ミラー手段反射状態に変化し、再び透過状態に変化するまでの時間は、上記撮像手段の１撮像周期よりも短いことを特徴とするデジタルカメラ。
【請求項８】
上記ミラー手段は、液晶ミラーとその駆動回路を含むことを特徴とする請求項７に記載のデジタルカメラ。
【請求項９】
上記駆動回路は、上記測距手段の測距動作の直前に上記液晶ミラーに電圧を印加して上記液晶ミラーを反射状態から透過状態に変化させることを特徴とする請求項８に記載のデジタルカメラ。
【請求項１０】
上記駆動回路は、上記測距手段の測距動作の直前に上記液晶ミラーに電圧を印加して上記液晶ミラーを反射状態から透過状態に変化させること特徴とする請求項９に記載のデジタルカメラ。
【請求項１１】
上記ミラー手段は、記録用画像の取得に先立って上記撮像光路外に退避することを特徴とする請求項７に記載のデジタルカメラ。
【請求項１２】
撮影レンズを通過した被写体光束を撮像して被写体像信号出力する撮像手段と、
この撮像手段の光路内にあって、制御信号に応じて被写体光束を反射若しくは透過する状態に変化するミラー手段と、
このミラー手段からの透過された被写体光束または反射された被写体光束に基づいて上記撮像手段から出力される被写体像信号に基づいて被写体の動画像を表示装置に表示するスルー画表示手段と、
を具備し、上記スルー画表示手段は上記撮像手段が上記被写体光束を受光できない状態にあるときは上記動画像に代えて静止画像を表示することを特徴とするデジタルカメラ。
【請求項１３】
さらに、上記ミラー手段が反射状態または透過状態にあるときに、上記ミラー手段によって導かれた被写体光束を受光して撮影レンズの焦点状態を検出する測距手段を具備することを特徴とする請求項１２に記載のデジタルカメラ。
【請求項１４】
上記ミラー手段によって上記測距手段に上記被写体光束を導くのは、上記撮像手段の１撮像周期よりも短いことを特徴とする請求項１３に記載のデジタルカメラ。
【請求項１５】
上記撮像周期よりも短い時間では充分測距値が得られない場合には、積分動作を中断し、複数回積分動作を繰り返すことを特徴とする請求１４に記載のデジタルカメラ。
【請求項１６】
上記ミラー手段は、上記撮影レンズの光路内に進退可能であることを特徴とする請求項１２に記載のデジタルカメラ。
【請求項１７】
上記ミラー手段は、上記撮影レンズが離脱された場合、パワーオフ時または撮影時には上記撮影レンズの光路から退避することを特徴とする請求項１２に記載のデジタルカメラ。
【発明の詳細な説明】
【技術分野】
【０００１】
本発明は、スルー画表示機能を有するデジタルカメラに関し、詳しくは、撮像素子で取得した画像を動画像として表示装置に表示する所謂スルー画表示機能（ライブビュー表示機能、電子ファインダ機能とも言う）を有するデジタルカメラに関する。
【背景技術】
【０００２】
従来のデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラとして、例えば、特許文献１には、可動ミラーを撮影光路から退避させるとともにフォーカルプレーンシャッタを全開状態にして被写体像を撮像素子に導き、それによって得られた被写体像を連続的に液晶モニタに表示するようにしたレンズ交換式カメラが開示されている。ただし、この特許文献１では、スルー画表示中に可動ミラーを撮影光路外に退避させるために、従来のカメラで一般的に採用されているＴＴＬ（Trough The Lens）位相差ＡＦ（Auto Focus）を行うことができないという問題がある。
【特許文献１】特開２００２−３６９０４２号公報
【０００４】
そこで、特許文献２には、可動ミラーをハーフミラーで構成し、撮影光学系を通過した被写体光束を撮像素子と位相差ＡＦセンサの両方に導くようにしたデジタルカメラが提案されている。この構成によれば、スルー画表示を行いながら位相差ＡＦも可能となり、前述の問題を解決することができる。
【特許文献２】特開２００２−６２０８号公報
【発明の開示】
【発明が解決しようとする課題】
【０００５】
しかしながら、特許文献２のように撮影光路内にハーフミラーを配置する構成をデジタルカメラに適用した場合には、ハーフミラーは非常に薄いので、撮影時に撮影光路から退避させる際に、衝撃で破損してしまうおそれがある。
【０００６】
本発明は、このような事情を鑑みてなされたものであり、撮影光路内にミラーを配置したデジタルカメラにおいて、ミラーが損傷し難いデジタルカメラを提供することを目的とする。
【課題を解決するための手段】
【０００７】
上記目的を達成するため第１の発明に係わるデジタルカメラは、撮影レンズを通過した被写体光束を撮像して被写体像信号出力する撮像手段と、この撮像手段の光路内にあって、制御信号に応じて被写体光束を反射若しくは透過する状態に変化するミラー手段と、このミラー手段が反射状態にあるときに反射された被写体光束を受光して撮影レンズの焦点状態を検出する測距手段と、上記ミラー手段が透過状態にあるときに上記撮像手段から出力される被写体像信号に基づいて被写体の動画像を表示装置に表示するスルー画表示手段を具備し、上記スルー画表示手段は上記ミラー手段が反射状態にあるときは上記動画像に代えて静止画像を表示する。
【０００８】
第２の発明に係わるデジタルカメラは、上記第１の発明において、上記静止画像は、上記ミラー手段が反射状態になる以前の被写体像信号に基づくものである。
また、第３の発明に係わるデジタルカメラは、上記第１の発明において、上記ミラー手段は、上記測距手段による測距動作の終了後、透過状態になる。
さらに、第４の発明に係わるデジタルカメラは、上記第１の発明において、上記ミラー手段が反射状態になり、再び透過状態になるまでの時間は、上記撮像手段の１撮像周期よりも短い。
さらに、第５の発明に係わるデジタルカメラは、上記第１の発明において、上記測距手段は、被写体が低輝度の場合に上記測距動作を複数に分割して実行する。
さらに、第６の発明に係わるデジタルカメラは、上記第１乃至第５の発明において、上記ミラー手段は上記撮像光路に対して進退可能であって、記録用画像の取得時に上記撮像光路の外へ退避する。
【０００９】
上記目的を達成するため第７の発明に係わるデジタルカメラは、撮影レンズを通過した被写体光束を撮像して被写体像信号を出力する撮像手段と、この撮像手段の光路内に配置され、反射状態と透過状態とに変化可能なミラー手段と、このミラー手段が反射状態にあるときに反射された被写体光束を受光して上記撮影レンズの焦点状態を検出する測距手段と、  を具備しており、上記ミラー手段反射状態に変化し、再び透過状態に変化するまでの時間は、上記撮像手段の１撮像周期よりも短い。
【００１０】
第８の発明に係わるデジタルカメラは、上記第７の発明において、上記ミラー手段は、液晶ミラーとその駆動回路を含んでいる。
また、第９の発明に係わるデジタルカメラは、上記第８の発明において、上記駆動回路は、上記測距手段の測距動作の直前に上記液晶ミラーに電圧を印加して上記液晶ミラーを反射状態から透過状態に変化させる。
さらに、第１０の発明に係わるデジタルカメラは、上記第９の発明において、上記駆動回路は、上記測距手段の測距動作の直前に上記液晶ミラーに電圧を印加して上記液晶ミラーを反射状態から透過状態に変化させる。
さらに、第１１の発明に係わるデジタルカメラは、上記第７の発明において、上記ミラー手段は、記録用画像の取得に先立って上記撮像光路外に退避する。
【００１１】
上記目的を達成するため第１２の発明に係わるデジタルカメラは、撮影レンズを通過した被写体光束を撮像して被写体像信号出力する撮像手段と、この撮像手段の光路内にあって、制御信号に応じて被写体光束を反射若しくは透過する状態に変化するミラー手段と、このミラー手段からの透過された被写体光束または反射された被写体光束に基づいて上記撮像手段から出力される被写体像信号に基づいて被写体の動画像を表示装置に表示するスルー画表示手段を具備し、上記スルー画表示手段は上記撮像手段が上記被写体光束を受光できない状態にあるときは上記動画像に代えて静止画像を表示する。
【００１２】
第１３の発明に係わるデジタルカメラは、上記第１２の発明において、上記ミラー手段が反射状態または透過状態にあるときに、上記ミラー手段によって導かれた被写体光束を受光して撮影レンズの焦点状態を検出する測距手段を具備する。
また、第１４の発明に係わるデジタルカメラは、上記第１３の発明において、上記ミラー手段によって上記測距手段に上記被写体光束を導くのは、上記撮像手段の１撮像周期よりも短い。
さらに、第１５の発明に係わるデジタルカメラは、上記第１４の発明において、上記撮像周期よりも短い時間では充分測距値が得られない場合には、積分動作を中断し、複数回積分動作を繰り返す。
さらに、第１６の発明に係わるデジタルカメラは、上記第１２の発明において、上記ミラー手段は、上記撮影レンズの光路内に進退可能である。
さらに、第１７の発明に係わるデジタルカメラは、上記第１２の発明において、上記ミラー手段は、上記撮影レンズが離脱された場合、パワーオフ時または撮影時には上記撮影レンズの光路から退避する。
【発明の効果】
【００１３】
本発明によれば、撮像手段の光路内にあって、制御信号に応じて被写体光束を反射若しくは透過する状態に変化するミラー手段を具備するようにしたので、ミラーが損傷し難いデジタルカメラを提供することができる。
【発明を実施するための最良の形態】
【００１４】
以下、図面に従って本発明を適用したデジタルカメラを用いて好ましい一実施形態について説明する。図１は、本発明の実施形態に係るデジタルカメラの電気系を主とするブロック図である。レンズ鏡筒１０はカメラ本体２０の前面のマウント開口部（不図示）に着脱自在となっている。マウント開口部を介してレンズ鏡筒１０内のレンズ１０１ａ、１０１ｂ等からなる撮影レンズによる被写体光束がカメラ本体２０内に導かれる。本実施形態では、レンズ鏡筒１０とカメラ本体２０は別体で構成され、通信接点３００を介して電気的に接続されている。また、カメラ本体２０に設けた着脱検知スイッチ２５９によって着脱状態を検出可能となっている。
【００１５】
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１６】
カメラ本体２０内のミラーボックス内には、レンズ１０１ａ、１０１ｂを通過した光束の透過もしくは反射する特性を有する可動ミラー２０１が配置されている。可動ミラー２０１は内部に液晶ミラー４０１（図３参照）を有しており、この液晶ミラー４０１は液晶ミラー駆動回路２１６に接続され、液晶ミラー駆動回路２１６によって印加される駆動電圧によって反射状態と透過状態に制御される。また可動ミラー２０１は、可動ミラー駆動機構２１５によって駆動され、回動軸２０１ａを中心に紙面垂直方向の軸に沿って回動可能である。
【００１７】
可動ミラー２０１がレンズ１０１ａ、１０１ｂの光路に対して４５度に傾いた位置（図２において実線の位置）にあるときに、液晶ミラー駆動回路２１６によって反射状態とされたときには、レンズ１０１ａ、１０１ｂからの被写体光束が反射され、カメラ本体２０の底部に設けられた測距／測光センサ２１７に導かれる。また液晶ミラー駆動回路２１６によって透過状態とされたときには、被写体光束は可動ミラー２０１を透過してＣＣＤ（Charge Coupled Devices）２２１の方向に導かれる。そして、可動ミラー２０１がレンズ１０１ａ、１０１ｂの光路と略平行で、被写体光束を遮らない退避位置（図２において二点鎖線の位置）にあるときには、被写体光束の全部がＣＣＤ２２１に導かれる。この可動ミラー２０１の詳しい構成と作用は図２および図３を用いて後述する。なお、本実施形態においては、可動ミラー２０１の回動中心は、ミラーボックス内の下側であったが、これに限らず、上側でも良く、また左右のいずれかに紙面に対して平行な回動中心にしても勿論構わない。また、可動ハーフミラー２０１の回動中心は、ＣＣＤ２２１側に配置したが、これに限らず、マウント開口部側に配置しても勿論構わない。
【００１８】
カメラ本体２０内のミラーボックスの底部であって、可動ミラー２０１によって反射された光束が導かれる位置に測距／測光センサ２１７が配置されている。この測距／測光センサ２１７は測距用のセンサと測光センサから構成されており、測光センサは被写体像を分割して測光する多分割測光素子で構成されている。また、測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００１９】
可動ミラー２０１の後方、かつレンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２０】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２１】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２２】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部およびファインダ内液晶モニタ２９を省略することも可能である。
【００２３】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、液晶ミラー駆動回路２１６、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２４】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２５】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２６】
カメラ本体２０やレンズ鏡筒１０のパワー供給の制御を行うためのパワースイッチレバーに連動してオン・オフするパワースイッチ２５７と、シャッタレリーズ釦に連動するスイッチ、再生モードを指示する再生釦に連動するスイッチ、背面液晶モニタ２６の画面でカーソルの動きを指示する十字釦に連動するスイッチ、撮影モードを指示するモードダイヤルに連動するスイッチ、選択された各モード等を決定するＯＫ釦に連動するＯＫスイッチ、着脱検知スイッチ２５９等の各種スイッチ２５５は、スイッチ検出回路２５３を介してデータバス２６１に接続されている。なお、レリーズ釦は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ２２１の出力に基づいて被写体像の画像データの取り込みを行う撮影動作を実行する。
【００２７】
次に、図２を用いて、可動ミラー２０１の駆動手段および退避手段について説明する。被写体光束を透過し反射する液晶ミラー４０１はミラー枠４０３によって保持される。このミラー枠４０３は孔４０３ａに介挿される軸４１１の回りに回動自在であり、図１の回動軸２０１ａは、軸４１１の中心軸となる。カメラ本体２０に固定されたピン４０９とミラー枠４０３に植設された駆動ピン４０５の間には開きバネ４０７の両端がそれぞれ係合しており、この開きバネ４０７のコイル部分は軸４１１に巻装されている。この開きバネ４０７のバネ力によって、ミラー枠４０３は図中反時計方向（矢印Ａ方向）に付勢力を受けている。駆動ピン４０５と係止レバー４１３の一端が係合しており、この係止レバー４１３の他端に植設されたカムピン４１５はミラー用カム４１７に係接している。
【００２８】
係止レバー４１３は回動中心が不図示のミラーボックスに軸支されており、駆動ピン４０５を介して開きバネ４０７のバネ力によって図中反時計方向（矢印Ｂ方向）に付勢力を受けている。よって、係止レバー４１３のカムピン４１５がミラー用カム４１７のカム面に圧接している。ミラー用カム４１７のカム面は回転中心からの半径方向の長さが変化するように形成されている。すなわち、カム面上の係止位置４１７ａでは回転中心からの距離が長くなるように形成され、係止解除位置４１７ｂでは係止位置４１７ａに比して回転中心からの距離が短くなるように形成されている。そして図中反時計回り方向に係止位置４１７ａから係止解除位置４１７ｂへと段差４１７ｃをもってカム面が形成され、係止解除位置４１７ｂから係止位置４１７ａへと滑らかに変位するようにカム面が形成される。
【００２９】
ミラー用カム４１７の係止位置４１７ａがカムピン４１５と当接する位置にあるとき、係止レバー４１３はミラー用カム４１７により矢印Ｂ方向の回動が規制されていることから、ミラー枠４０３を反射位置に保持する。この状態から、段差４１７ｃを経て係止解除位置４１７ｂがカムピン４１５と当接する位置へとミラー用カム４１７を図中時計回りに回動させると、係止レバー４１３の矢印Ｂ方向への回動が可能となる。よって開きバネ４０７の付勢力により、ミラー枠４０３が矢印Ａ方向へと回動して退避位置へと変位する。なお、ミラー用カム４１７は図示しないモータによって回転駆動される。
【００３０】
このように可動ミラー２０１を撮影光路内の反射位置（図２中実線で示す位置）へと駆動させる駆動手段は、ミラー用カム４１７、係止レバー４１３などを含む。また可動ミラー２０１を撮影光路外の退避位置（図２中二点鎖線で示す位置）へと駆動する退避手段は、開きバネ４０７を含んでいる。なお、駆動手段や退避手段は、このような構成に限らず、可動ミラー２０１を駆動できれば他の構成でも良い。
【００３１】
このように可動ミラー２０１は構成されているので、図示しないモータにより、カムピン４１５が係止解除位置４１７ｂに接する位置に駆動されたときには、ミラー枠４０３および係止レバー４１３が開きバネ４０７の付勢力によって、矢印Ｂ方向に回動し、ミラー枠４０３は、図中、二点鎖線のように退避位置となる。この状態で、モータによってミラー用カム４１７を回動させ係止位置４１７ａがカムピン４１５と接する位置になると、係止レバー４１３は時計方向（矢印Ｂ方向と逆方向）に回動され、開きバネ４０７の付勢力に抗して駆動ピン４０５を介しミラー枠４０３を時計方向（矢印Ａ方向と逆方向）に回動させ、図中、実線の如き反射位置に位置させる。
【００３２】
次に、図３を用いて、可動ミラー２０１の液晶ミラー４０１の構造について説明する。液晶ミラー４０１は、図３（Ａ）に示すように、ミラー枠４０３の受け部に嵌合しており、ミラー押さえ４０４によって固定されている。この液晶ミラー４０１は、図３（Ｂ）に示すように、公知の液晶４０１ａを透明電極４０１ｄおよび４０１ｆを形成したガラス板４０１ｃおよび４０１ｇの間に充填し、封止部材４０１ｅによって封印している。ガラス板４０１ｃおよび４０１ｇの外側には偏光フィルタ４０１ｂおよび４０１ｈを配置し、この偏光フィルタの偏光特性と液晶４０１ａの電気光学的特性を利用して、液晶ミラー４０１を透過状態と遮光状態に切換制御する。
【００３３】
透明電極４０１ｄおよび４０１ｆには、電源４２１とスイッチ４２３の直列回路が接続されている。スイッチ４２３がオンとなると、液晶４０１ａに電源４２１の電圧が印加され、液晶４０１ａは遮光状態となり、可動ミラー２０１としては被写体光束を反射する反射状態となる。またスイッチ４２３がオフとなると、液晶４０１ａに電源４２１の電圧印加が解除され、液晶４０１ａは透過状態となり、可動ミラー２０１は被写体光束を透過する透過状態となる。なお、スイッチ４２３と制御信号の印加のための回路によって、液晶ミラー駆動回路２１６を構成する。
【００３４】
このように可動ミラー２０１、液晶ミラー４０１および液晶ミラー駆動回路２１６は構成されているので、可動ミラー２０１が撮影光路から退避し被写体光束の全部が直接ＣＣＤ２２１に導かれる退避状態と、可動ミラー２０１が撮影光路中に４５度に介挿され、液晶ミラー４０１が反射状態となり、被写体光束が測距／測光センサ２１７に反射される反射状態と、可動ミラー２０１が撮影光路中に介挿され、液晶ミラー４０１が透過状態となり、被写体光束が液晶ミラー４０１を透過してＣＣＤ２２１に導かれる透過状態の３種類の状態をとることができる。
【００３５】
次に、本発明の一実施形態におけるデジタルカメラの動作について図４乃至図６に示すフローチャートを用いて説明する。図４に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。
【００３６】
ステップＳ１において、パワースイッチ２５７がオンであった場合には、ステップＳ２に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバーが操作され、パワーオンとなった場合に、レンズ離脱時と同様な処理をするためである。ステップＳ２において、着脱スイッチ２５９がオンであった場合には、ステップＳ５以下に進み、パワースイッチオンのための処理を行う。
【００３７】
ステップＳ５では、可動ミラー２０１の復帰を行う。これは、パワースイッチ２５７がオフの状態では、可動ミラー２０１は撮影光路から退避した位置にあるが（図２において二点鎖線の状態）、レンズ鏡筒１０からの被写体光束を測距／測光センサ２１７に導き、測光および測距を迅速に行うことができるように予め準備しておくためである。可動ミラー２０１の復帰時にはスイッチ４２３はオフに初期設定されている。このため、可動ミラー２０１が復帰し、撮影光路に対して４５度の傾きで挿入されると、被写体光束は可動ミラー２０１を透過する。
【００３８】
次に、防塵フィルタ２０５における塵埃除去動作を行う。これは防塵フィルタ２０５に固着された圧電素子２０７に防塵フィルタ駆動回路２１１から駆動電圧を印加し、前述したように超音波によって塵埃等を除去する動作である。続いて、シャッタ駆動回路２１３によってシャッタ２０３の開放動作を行う（Ｓ９）。可動ミラー２０１の液晶ミラー４０１は、初期状態では前述したように、透過状態となっているので、液晶ミラー４０１を透過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。また、ステップＳ１５での測光は、ＣＣＤ２２１からの画像データを用いる以外にも、可動ミラー２０１の液晶ミラー４０１を反射状態とし、測距／測光センサ２１７の出力に基づいて行っても勿論構わない。
【００３９】
次に、図示しないモードダイヤル等によって設定された撮影モードや、ＩＳＯ感度、マニュアル設定されたシャッタ速度や絞り値等の情報があればそれらの撮影条件の読み込みを行う（Ｓ１３）。そして、ＣＣＤ２２１の出力に基づいて被写体輝度を求め、露光量を演算し、この露光量を用いて撮影モード・撮影条件に従ってシャッタ速度や絞り値等の露光制御値の演算を行う（Ｓ１５）。また、被写体輝度や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた露光量の演算結果、もしくは前回の表示画像を用いて、背面液晶モニタ２６および／またはファインダ内液晶２９に適切な明るさ（明度）の像を表示するための演算と設定を行う。また、スルー画表示を行う際のフレームレートの設定（本実施形態では３０ｆｐｓ）も行う。ここで、設定されたフレームレートに従って背面液晶モニタ２６等に表示されるように、ＣＣＤ２２１での読み出しや画像処理回路２２７・ビデオ信号出力回路２３３・液晶モニタ駆動回路２３５等の処理がなされる。
【００４０】
次に、ステップＳ１９に進み、再生モードか否かの判定を行う。この再生モードは、再生釦が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦の半押し等、他の手動操作がなされた場合には、再生動作を終了してステップＳ７に戻り、前述の動作を繰り返す。
【００４１】
ステップＳ１９に戻り、再生モードが設定されていなかった場合には、ステップＳ２１に進み、メニューモードが設定されているか否かを判定する。これは、メニュー釦が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４２】
ステップＳ２１に戻り、判定の結果、メニューモードが設定されていなかった場合には、ステップＳ２３に進み、レリーズ釦が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図５を用いて後述する。撮影動作のサブルーチンが終了すると、ステップＳ７に戻り、前述のステップを繰り返す。
【００４３】
ステップＳ２３に戻り、判定の結果、１Ｒスイッチがオフであった場合には、ステップＳ２５に進み、ステップＳ２と同様に、着脱検知スイッチ２５９がオフか否かを判定する。判定の結果オフであり、レンズ鏡筒１０が離脱されると、再生モードにおけるステップＳ３１およびＳ３３と同様に、スルー画停止指示を出力し（Ｓ４５）、シャッタ２０３の閉じ動作を行い（Ｓ４７）、この後、可動ミラー２０１の退避動作を行う（Ｓ４９）。退避動作は、前述したように、モータを駆動してミラー用カム４１７を回動させ、開きバネ４０７の付勢力によってミラー枠４０３を撮影光路から退避した位置に回動させることにより行う（図１および図２の二点鎖線の位置）。
【００４４】
可動ミラー２０１の退避動作が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ミラー２０１を復帰させる。これは、前述したように、モータを駆動してミラー用カム４１７を回動させ、開きバネ４０７の付勢力に抗して、カム面によって係止レバー４１３を時計方向に回動させ、ミラー枠４０３をレンズ１０１ａ、１０１ｂの光路中に介挿させる。可動ハーフミラー２０１の復帰が終わると、ステップＳ７に戻り、前述のステップを繰り返す。
【００４５】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバーの操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ１３に進み、各種操作釦による操作に基づく動作を行う等の変形は可能である。
【００４６】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、透過状態にある液晶ミラー４０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。この後、前述のステップＳ４９と同様にして、可動ハーフミラー２０１の退避動作を行った後（Ｓ３０）、ステップＳ３に戻りスリープ状態となる。
【００４７】
次に、ステップＳ４３の撮影動作のサブルーチンについて図５を用いて説明する。このサブルーチンは前述したように、レリーズ釦の半押しがなされると実行される。まず、測距センサ２１７の内の測距センサにおける測距のための積分動作を行う（Ｓ７１）。測距にあたっては、スイッチ４２３をオンにして可動ミラー２０１の液晶ミラー４０１を反射状態とし、被写体光束を測距センサに反射する。なお、この測距積分のサブルーチンについては、図６を用いて後述する。測距積分が終わると、続いて測距演算・自動焦点調節を行う（Ｓ７２）。これは、被写体光束を受光した測距センサの出力を用いて測距処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００４８】
次に、露光量演算を行う（Ｓ７３）。これはステップＳ７１で行った測距積分を用いて、ボディＣＰＵ２２９は、被写体輝度ＢＶを求める。この被写体輝度ＢＶを用いて露光量ＥＶを求め、さらに撮影モード等に従ってシャッタ速度や絞り等の露出条件を求める。
【００４９】
次に、レリーズ釦の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦の半押し動作で、この撮影動作のサブルーチンにジャンプしてきて、レリーズ釦が半押しのままの場合には、ステップＳ７４〜Ｓ７７で繰り返し判定を行う待機状態となる。レリーズ釦から手が離れ、１Ｒがオフとなると、パワーオンリセットのステップＳ７に戻る。
【００５０】
ステップＳ７５に戻り、判定の結果、２Ｒスイッチがオンであった場合、すなわちレリーズ釦が全押しされた場合には、静止画像取得のための撮像動作に移る。まず、ステップＳ７９において、画像処理回路２２７に対してスルー画停止の指示を出力する。これは静止画像取得にあたって、可動ミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。この後、ステップＳ４９と同様にして可動ミラー２０１の退避動作を行う（Ｓ８１）。
【００５１】
続いて、設定絞り値またはＳ７３で演算された絞り値まで絞り１０３の絞込み動作を、レンズＣＰＵ１１１を介し絞り駆動機構１０９によって行う（Ｓ８３）。絞込み動作が終わると、次にＣＣＤ２２１による露光動作を行う（Ｓ８５）。すなわち、可動ミラー２０１の液晶ミラー４０１は、ステップＳ７１の測距積分のサブルーチン中で、撮影光路中の介挿位置から退避位置に移動しており、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００５２】
続いて、シャッタ２０３の閉じ動作を行い（Ｓ８７）、絞り１０３の開放動作の指示をレンズＣＰＵ１１１に出力する（Ｓ８９）。この後、可動ミラー２０１を撮影光路中の介挿位置に進出させ（Ｓ９０）、スルー画表示の準備と、測光および測距を迅速に行うことができるように予め準備しておく。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦が半押し状態であるか否かを判定する。１Ｒスイッチがオフとなると、パワーオンリセットのルーチンに戻る。
【００５３】
本実施形態の撮影動作のサブルーチンにおいては、静止画像を取得する撮像動作の際に可動ミラー２０１の液晶ミラー４０１を撮影光路から退避させている。このため可動ミラー２０１において被写体光量が減衰することがなく、静止画像取得にあたって被写体光量を増加させることができ、高速シャッタ速度での撮影が可能となる。
【００５４】
次に、ステップＳ７１の測距積分のサブルーチンについて図６を用いて説明する。まず、スルー画の更新禁止の指示を画像処理回路２２７等に出力する（Ｓ１０１）。これは、測距を行うにあたって、可動ミラー２０１の液晶ミラー４０１が透過状態から反射状態に切り換わり、測距のための積分動作を行っている間、ＣＣＤ２２１に被写体光束が到達しなくなるので、背面液晶モニタ２６等でのスルー画表示が乱れて見苦しくなることを防止するためである。この間、スルー画が更新されないことから、直前のスルー画に固定され表示されることになる。
【００５５】
続いて、スイッチ４２３をオンとし、可動ミラー２０１の液晶ミラー４０１を反射状態とする（Ｓ１０３）。液晶ミラー４０１が反射状態となると、測距／測光センサ２１７の測距センサ上に被写体光束が到達するので、測距積分の開始指示を出力する（Ｓ１０５）。これは、入出力回路２３９を介して測距処理回路２１９に対して行う。
【００５６】
次に、測距を行うに充分な積分レベルに達したかを検出する（Ｓ１０７）。充分なレベルに達した場合には、測距終了と判断して可動ミラー２０１の液晶ミラー４０１を反射状態から透過状態に切り換える（Ｓ１０９）。これは、スイッチ４２３をオフからオンにすればよい。可動ミラー２０１の液晶ミラー４０１が透過状態となると、再び、ＣＣＤ２２１上に被写体像が結像し、スルー画表示が可能となるので、スルー画更新許可指示を出力する（Ｓ１１１）。
【００５７】
ステップＳ１０７に戻り、検出の結果、測距を行うに充分な積分レベルに達していなかった場合には、ステップＳ１１３に進み、測距積分を開始してから２０ｍＳが経過したかを判定する。充分な積分レベルに達するか２０ｍＳが経過するまでは、ステップＳ１０７とＳ１１３の判定を繰り返し行う待機状態となる。被写体輝度が暗い場合には、充分な積分レベルに到達する前に２０ｍＳが経過してしまうことが多いので、その場合はステップＳ１１５に進み、測距積分中断指示を測距／測光処理回路２１９に出力する。
【００５８】
測距積分の中断指示を出力後、ステップＳ１０９と同様に、可動ミラー２０１の液晶ミラー４０１を反射状態から透過状態に変更する（Ｓ１１７）。可動ミラー２０１の液晶ミラー４０１が透過状態となると再びＣＣＤ２２１上には被写体像が結像し、スルー画表示が可能となることから、画像処理回路２２７等にスルー画更新許可指示を出力する（Ｓ１１９）。この状態で、スルー画の１フレーム分に相当する１／３０秒の間、待機する。
【００５９】
ステップＳ１２１での待機時間が経過すると、ステップＳ１０１に戻り、スルー画更新禁止の指示を出力する。そして、可動ミラー２０１の液晶ミラー４０１を反射状態とし（Ｓ１０３）、２０ｍＳ測定用のタイマをリセットすると共に、測距積分を再開する（Ｓ１０５）。すなわち、ステップＳ１１５における積分動作の中断では積分値はリセットされておらず、ステップＳ１０５において積分動作の再開を行っている。このようにして、１／３０秒間の待機時間間隔で積分を繰り返しており、充分な積分レベルとなると、ステップＳ１０７からステップＳ１０９、Ｓ１１１を経て撮影動作のルーチンに戻る。
【００６０】
なお、本実施形態においては、充分な積分レベルに達するまで、上述のループを繰りかえてしているが、ループ数をカウントし、所定回数に達した場合には、強制的に測距積分を終了するようにしても勿論構わない。また、ステップＳ１１３において、２０ｍＳ経過したかを判定していたが、この時間は、１フレーム分の時間より短い時間であれば、適宜、変更することができる。
【００６１】
以上の一連の動作を図７０のタイムチャートを用いて説明すると、ＣＣＤ２２１による撮像は１／３０秒間隔で行われ、取得された画像データは続いてスルー画表示される。スルー画表示中に測距を行うために、可動ミラー２０１の液晶ミラー４０１を反射状態にすると、ＣＣＤ２２１に被写体光束が到達せず、撮像できない（図７の符号６０１の期間）。この間、符号６０５のタイミングで測距動作が開始し（積分開始）、符号６０７のタイミングで測距動作が終了する（積分終了）。そして符号６０１のタイミングでは撮像ができないので、符号６０３のタイミングでは画像データが更新されず、スルー画が固定されたままとなる。
【００６２】
被写体輝度が低輝度の場合には、複数回、可動ミラー２０１の液晶ミラー４０１を反射状態に切り換え（図７において、符号６０９、６１１、６１３、６１５のタイミング）、測距のための積分動作を繰り返す。この間、撮像できないタイミングが生ずるが（図７において、符号６２１、６２３、６２５、６２７）、この間のスルー画は固定され（図７において、符号６３１、６３３、６３５、６３７）、画面がちらついたり乱れたりすることはない。また、スルー画が固定されるのは、１フレーム分と短時間であることから、ユーザからみて違和感を与えることも殆どない
【００６３】
以上、説明したように本発明の実施形態においては、撮影光路内に制御信号に応じて被写体光束を反射する状態と透過する状態に切り換わる液晶ミラー４０１を設けたので、従来のハーフミラーを用いる場合に比較して、ミラーが損傷し難いデジタルカメラを提供することができる。また、本実施形態においては、可動ミラー２０１に液晶シャッタを採用することにより、高速で反射状態と透過状態に切り換えることができ、このため撮像不能時間やスルー画不能時間を最小限にすることができる。
【００６４】
また、本実施形態においては、可動ミラー２０１によって反射された被写体光束を測距センサに導くようにしたので、スルー画表示中においても迅速に測距センサの出力を用いて自動焦点調節動作を行うことができる。さらに、液晶ミラー４０１は、反射状態と透過状態を高速に切り換えることできることから、スルー画表示状態から測距状態へ、逆に測距状態からスルー画表示状態への切換を迅速に行うことができる。このため、スルー画更新禁止の時間を短くすることができる。また、スルー画の動画像が殆ど途切れることがなく、違和感のないスルー画表示とすることができる。
【００６５】
さらに、本実施形態においては、スルー画不能時間の間は、前回、撮像した画像データを固定して表示するので、ユーザに違和感を与えることがない。また、被写体が低輝度の場合には、１フレーム分より短時間の測距積分とスルー画像取得のための撮像を繰り返すようにしたので、ユーザに違和感を与えることなく、積分動作を繰り返すことができ、低輝度の場合でも測距を行うことができる。
【００６６】
さらに、本実施形態では、レンズ鏡筒１０が離脱されたときや本体がパワーオフされたときには、可動ミラー２０１を撮影光路外の退避位置に移動させるようにしたので、カメラ本体のマウント開口部からクリーニング用具等が挿入されたとしても、可動ミラー２０１が破損されるおそれがない。また、カメラ本体に再びレンズ鏡筒１０が装着されたときや本体がパワーオンされたときには、可動ミラー２０１を撮影光路内に介挿するようにしたので、測距や測光をスルー画表示と並行して行うことができる。
【００６７】
なお、本発明の実施形態においては、反射状態と透過状態を切換可能な可動ミラー２０１として、液晶を用いた液晶ミラー４０１を利用していたが、これに限らず、反射状態と透過状態を切換可能なミラーであれば勿論採用できる。
【００６８】
また、本実施形態においては、撮像素子としてのＣＣＤ２２１は可動ミラー２０１の液晶ミラー４０１の透過状態における透過光を受光し、測距／測光センサ２１７は液晶ミラー４０１の反射状態における反射光を受光していたが、これとは逆にＣＣＤ２２１は反射光を、測距／測光センサ２１７は透過光を受光するように構成しても良い。
【００６９】
さらに、本発明の実施形態においては、可動ミラー２０１の液晶ミラー４０１によって、測距／測光センサ２１７とＣＣＤ２２１に被写体光束を切り換えていたが、これに限らず、例えば、光学ファインダと撮像素子に被写体光束を切り換えたり、また測距センサと測光センサに被写体光束を切り換えるなど、適宜、被写体光束の導く先を切り換えても勿論良い。
【００７０】
本実施形態においては、本発明を一般的なデジタルカメラに適用したものであったが、これに限らず、携帯等の各種装置内のデジタルカメラでもよく、また顕微鏡、双眼鏡等の各種装置に取り付けられる専用デジタルカメラにも適用できることは勿論である。撮影対象をモニタ装置にスルー画表示するデジタルカメラであれば、本発明を適用することができる。
【図面の簡単な説明】
【００７１】
【図１】本発明を適用した一実施形態におけるデジタルカメラの電気系の全体構成を示すブロック図である。
【図２】本発明を適用した一実施形態における可動ミラーの構造を示す分解斜視図である。
【図３】本発明を適用した一実施形態における可動ミラーの構造を示す図であって、（Ａ）は可動ミラーの断面図であり、（Ｂ）は液晶ミラーの断面図である。
【図４】本発明の一実施形態におけるパワーオンリセットの動作を示すフローチャートである。
【図５】本発明の一実施形態における撮影動作のフローチャートである。
【図６】本発明の一実施形態における測距積分のフローチャートである。
【図７】本発明の一実施形態における撮像動作、スルー画表示と液晶ミラーの動作関係を示すタイムチャートである。
【符号の説明】
【００７２】
１０  レンズ鏡筒
２０  カメラ本体
２６  背面液晶モニタ
２９  ファインダ内液晶モニタ
１０１ａ、１０１ｂ  レンズ
１１１  レンズＣＰＵ
２０１  可動ミラー
２０１ａ  開口部
２０３  シャッタ
２１３  シャッタ駆動機構
２１５  可動ミラー駆動機構
２１６  液晶ミラー駆動回路
２１７  測距／測光センサ
２１９  測距／測光処理回路
２２１  ＣＣＤ
２２７  画像処理回路
２２９  ボディＣＰＵ
２５７  パワースイッチ
４０１ 液晶ミラー
４０１ａ  液晶
４０１ｂ  偏光フィルタ
４０１ｃ  ガラス板
４０１ｄ  透明電極
４０１ｅ  封止部材
４０１ｆ  透明電極
４０１ｇ  ガラス板
４０１ｈ  偏光フィルタ
４０３  ミラー枠
【図２】
2008022303.tif 000003
【図３】
2008022303.tif 000004
【図１】
2008022303.tif 000005
【図４】
2008022303.tif 000006
【図５】
2008022303.tif 000007
【図６】
2008022303.tif 000008
【図７】
2008022303.tif 000009